(57)【特許請求の範囲】
【請求項１】
小さい番手から大きい番手へとシャフトの長さを漸次的に短く変化させているゴルフクラブを組み合わせて構成され、各ゴルフクラブはヘッドに装着されたシャフトを備え、このシャフトは撓ることにより同時に捻れが生じるようにその繊維角度が周方向において部分的に異なる繊維強化樹脂層の積層体から構成されているゴルフクラブセットであって、
上記ゴルフクラブセット内の全てのゴルフクラブの上記シャフトは、繊維強化樹脂層の積層体の構成を同一とした共通のシャフト母材を用い、
上記各シャフトは、水平方向に配置してグリップエンド側を把持すると共にヘッド取付側に錘を吊り下げた状態でシャフトの回転角度が最大値をとる時の上頂点となるシャフト周方向位置を基準位置とすると共に、上記最大回転角度を曲げ捻れ量とする一方、
上記ヘッドのホーゼル穴外周は、トウ側位置からヒール側位置に向かう方向をヘッド基準方向とし、
上記各シャフトの基準位置を、上記ヘッドの基準方向に対して同一角度で装着していることを特徴とするゴルフクラブセット。
【請求項２】
小さい番手から大きい番手へとシャフトの長さを漸次的に短く変化させているゴルフクラブを組み合わせて構成され、各ゴルフクラブはヘッドに装着されたシャフトを備え、このシャフトは撓ることにより同時に捻れが生じるようにその繊維角度が周方向において部分的に異なる繊維強化樹脂層の積層体から構成されているゴルフクラブセットであって、
上記ゴルフクラブセット内の全てのゴルフクラブの上記シャフトは、繊維強化樹脂層の積層体の構成を同一とした共通のシャフト母材を用い、
上記各シャフトは、水平方向に配置してグリップエンド側を把持すると共にヘッド取付側に錘を吊り下げた状態でシャフトの回転角度が最大値をとる時の上頂点となるシャフト周方向位置を基準位置とすると共に、上記最大回転角度を曲げ捻れ量とする一方、
上記ヘッドのホーゼル穴外周は、トウ側位置からヒール側位置に向かう方向をヘッド基準方向とし、
上記各シャフトの基準位置が上記ヘッドの基準方向に対してなす角度を変化させてシャフトをヘッドに装着し、シャフト長さが大となるに従い、上記シャフト基準位置がヘッド基準方向に対してなす角度を漸次的に大としていることを特徴とするゴルフクラブセット。
【請求項３】
小さい番手から大きい番手へとシャフトの長さを漸次的に短く変化させているゴルフクラブを組み合わせて構成され、各ゴルフクラブはヘッドに装着されたシャフトを備え、このシャフトは撓ることにより同時に捻れが生じるようにその繊維角度が周方向において部分的に異なる繊維強化樹脂層の積層体から構成されているゴルフクラブセットであって、
上記ゴルフクラブセット内の全てのゴルフクラブの上記シャフトは、繊維強化樹脂層の積層体の構成を同一とした共通のシャフト母材を用い、
上記各シャフトは、水平方向に配置してグリップエンド側を把持すると共にヘッド取付側に錘を吊り下げた状態でシャフトの回転角度が最大値をとる時の上頂点となるシャフト周方向位置を基準位置とすると共に、上記最大回転角度を曲げ捻れ量とする一方、
上記ヘッドのホーゼル穴外周は、トウ側位置からヒール側位置に向かう方向をヘッド基準方向とし、
上記各シャフトの基準位置が上記ヘッドの基準方向に対してなす角度を変化させてシャフトをヘッドに装着し、シャフト長さが大となるに従い、上記シャフト基準位置がヘッド基準方向に対してなす角度を漸次的に小としていることを特徴とするゴルフクラブセット。
【発明の詳細な説明】
【０００１】
【発明の属する技術分野】
本発明はゴルフクラブセットに関するものであり、特に繊維強化樹脂層の積層体から構成されるシャフトを備えたゴルフクラブを複数本組み合わせて構成されたゴルフクラブセットに関するものである。
【０００２】
【従来の技術】
近年、スチールシャフトに代えて繊維強化樹脂製シャフトを装着したゴルフクラブが好んで用いられており、ゴルフクラブの主流となりつつある。繊維強化樹脂製シャフトは軽量であるため、これを用いるゴルファーはゴルフクラブのヘッドスピードを速めることができ、ゴルフボールの飛距離を高めることができる。
【０００３】
飛距離を高めるには、ヘッドスピードを速めることとともに、ゴルフボールをまっすぐ飛ばすことも重要である。また、スコアを高める点においても、ゴルフボールをまっすぐ飛ばすことが極めて重要である。しかし、多くのゴルファーは、ゴルフボールが右回転して右に曲がったり（右利きのゴルファーにとってのスライスボール）、ゴルフボールが左回転して左に曲がったり（右利きのゴルファーにとってのフックボール）し、スコアメイクに苦しんでいるのが実状である。
【０００４】
打球の曲がる原因は、インパクトにおいてヘッドの軌道の方向とフェースの向き（フェースの垂直方向）とが一致しないことにある。すなわち、軌道方向に対してフェースの向きがオープンとなるとゴルフボールはスライスしてしまい、逆に軌道方向に対してフェースの向きがクローズとなるとゴルフボールはフックしてしまう。従って、インパクトにおいてヘッドの軌道の方向とフェースの向きとが一致するようにスイングフォームを矯正すれば、打球の曲がりを抑えることができる。しかし、スイングフォームにはゴルファー毎の癖があり、これを矯正するのは容易なことではない。例えば、平均的なアマチュアゴルファーは、ロングアイアンやドライバー等のシャフトの長いゴルフクラブを用いた場合、ヘッドが返りにくいためスライスボールが出やすい傾向にある。一方、ショートアイアン等のシャフトが短いゴルフクラブを用いた場合、ヘッドが返りすぎてフックボールが出やすい傾向がある。ショートアイアン、ミドルアイアン、ロングアイアン及びウッドクラブの全てにおいてまっすぐにボールを飛ばすことが、平均的なアマチュアゴルファーの夢である。
【０００５】
番手に応じてヘッドの重心位置を異ならせることにより、全てのゴルフクラブにおいてインパクト時のフェースの向きを軌道方向と一致させやすくしたゴルフクラブセットが提案され、実用化されている。また、番手に応じてシャフトのねじれ剛性を異ならせることにより、全てのゴルフクラブにおいてインパクト時のフェースの向きを軌道方向と一致させやすくしたゴルフクラブセットが提案され、実用化されている。しかしながら、これらのゴルフクラブセットでも、未だフェース向きの矯正効果は不十分である。
【０００６】
ところで、特開平３−２２７６１６号公報には、その繊維角度が周方向において部分的に異なる繊維強化樹脂を用いたパイプ状構造物が開示されている。このパイプ状構造物は幾何学的主軸（すなわちパイプの中心線）と弾性主軸（すなわち弾性率における対称軸）とが異なるので、荷重が加わることにより撓ると同時に捻れを生ずる性質を備えたものである。また、特開平１０−７１２２０号には、前述の撓ると同時に捻れを生ずるパイプ状構造物をシャフトとして用いたゴルフクラブが開示されている。ゴルフクラブをスイングすると、インパクト時にはトウダウン等によりしなりが生じる。このシャフトとして、撓ると同時に捻れを生ずるパイプ状構造物を用いれば、インパクト時の撓りによってシャフトが捻れ、フェース向きがオープン又はクローズに矯正される。
【０００７】
【発明が解決しようとする課題】
本出願人は、前述の撓ると同時に捻れを生ずるシャフトのゴルフクラブセットへの好適な応用について鋭意検討を重ね、先に特願平９−２５６３７６号において、ゴルフクラブアイアンセットを提案している。このゴルフクラブアイアンセットは、番手に応じて繊維強化樹脂層の層構造が異なっており、シャフトが撓った際のフェースの返りの量がロングアイアンで大きくなり、ショートアイアンで小さくなるように構成されている。従って、平均的アマチュアゴルファーであっても、ロングアイアンでのスライスボールが出にくくなり、また、ショートアイアンでのフックボールが出にくくなるように構成されている。
【０００８】
ところで、ゴルフクラブセットにおいては、シャフトの柔らかさ（フレックス）、捻れ剛性（トルク）、剛性分布、調子等の特性値は、セット内で統一されているか、又は番手に応じて漸次的に異ならされていることが必要である。もしセット内の特定の番手のみ特性値が突出していたり、隣り合った番手間で特性値が大幅に変化したりすると、番手に応じた打球特性が得られなくなってしまう。例えば、５番アイアンと６番アイアンとの飛距離がほとんど同一となってしまったり、逆に極端に飛距離が異なってしまったりする場合がある。このようなゴルフクラブセットは、ねらった地点にゴルフボールを落下させるために番手を選択するというゴルフ競技の性質上、好ましからざるものとなってしまう。
【０００９】
シャフトが撓った際の捻れの量が番手に応じて異なる前述のゴルフクラブセットでは、使用されるシャフト母材の層構造が番手によって異なるため、特性値のセット内での統一や漸次的変化の達成が極めて困難である。このため、番手に応じた打球特性が得られにくいという問題がある。極めて微妙な調整を施せば特性値のセット内での統一等も可能ではあるが、この場合は、ゴルフクラブセットの生産性が極端に低下してしまうこととなる。
【００１０】
本発明はこのような問題に鑑みてなされたものであり、シャフトが撓った際の捻れの量が番手に応じて異なっており、しかも特性値のセット内での統一や漸次的変化の達成が容易なゴルフクラブセットを提供することをその課題とするものである。
【００１１】
【課題を解決するための手段】
上記課題を解決するため、第１の発明として、小さい番手から大きい番手へとシャフトの長さを漸次的に短く変化させているゴルフクラブを組み合わせて構成され、各ゴルフクラブはヘッドに装着されたシャフトを備え、このシャフトは撓ることにより同時に捻れが生じるようにその繊維角度が周方向において部分的に異なる繊維強化樹脂層の積層体から構成されているゴルフクラブセットであって、
上記ゴルフクラブセット内の全てのゴルフクラブの上記シャフトは、繊維強化樹脂層の積層体の構成を同一とした共通のシャフト母材を用い、
上記各シャフトは、水平方向に配置してグリップエンド側を把持すると共にヘッド取付側に錘を吊り下げた状態でシャフトの回転角度が最大値をとる時の上頂点となるシャフト周方向位置を基準位置とすると共に、上記最大回転角度を曲げ捻れ量とする一方、
上記ヘッドのホーゼル穴外周は、トウ側位置からヒール側位置に向かう方向をヘッド基準方向とし、
上記各シャフトの基準位置を、上記ヘッドの基準方向に対して同一角度で装着していることを特徴とするゴルフクラブセットを提供するものである。
第２の発明として、小さい番手から大きい番手へとシャフトの長さを漸次的に短く変化させているゴルフクラブを組み合わせて構成され、各ゴルフクラブはヘッドに装着されたシャフトを備え、このシャフトは撓ることにより同時に捻れが生じるようにその繊維角度が周方向において部分的に異なる繊維強化樹脂層の積層体から構成されているゴルフクラブセットであって、
上記ゴルフクラブセット内の全てのゴルフクラブの上記シャフトは、繊維強化樹脂層の積層体の構成を同一とした共通のシャフト母材を用い、
上記各シャフトは、水平方向に配置してグリップエンド側を把持すると共にヘッド取付側に錘を吊り下げた状態でシャフトの回転角度が最大値をとる時の上頂点となるシャフト周方向位置を基準位置とすると共に、上記最大回転角度を曲げ捻れ量とする一方、
上記ヘッドのホーゼル穴外周は、トウ側位置からヒール側位置に向かう方向をヘッド基準方向とし、
上記各シャフトの基準位置が上記ヘッドの基準方向に対してなす角度を変化させてシャフトをヘッドに装着し、シャフト長さが大となるに従い、上記シャフト基準位置がヘッド基準方向に対してなす角度を漸次的に大としていることを特徴とするゴルフクラブセットを提供している。
第３の発明として、小さい番手から大きい番手へとシャフトの長さを漸次的に短く変化させているゴルフクラブを組み合わせて構成され、各ゴルフクラブはヘッドに装着されたシャフトを備え、このシャフトは撓ることにより同時に捻れが生じるようにその繊維角度が周方向において部分的に異なる繊維強化樹脂層の積層体から構成されているゴルフクラブセットであって、
上記ゴルフクラブセット内の全てのゴルフクラブの上記シャフトは、繊維強化樹脂層の積層体の構成を同一とした共通のシャフト母材を用い、
上記各シャフトは、水平方向に配置してグリップエンド側を把持すると共にヘッド取付側に錘を吊り下げた状態でシャフトの回転角度が最大値をとる時の上頂点となるシャフト周方向位置を基準位置とすると共に、上記最大回転角度を曲げ捻れ量とする一方、
上記ヘッドのホーゼル穴外周は、トウ側位置からヒール側位置に向かう方向をヘッド基準方向とし、
上記各シャフトの基準位置が上記ヘッドの基準方向に対してなす角度を変化させてシャフトをヘッドに装着し、シャフト長さが大となるに従い、上記シャフト基準位置がヘッド基準方向に対してなす角度を漸次的に小としていることを特徴とするゴルフクラブセットを提供している。
【００１２】
本発明にかかるゴルフクラブセットでは、セット内の全てのゴルフクラブにおいて共通のシャフト母材が用いられているので、フレックス、トルク、剛性分布、調子等の特性値のセット内での統一や漸次的変化の達成が容易である。特性値のセット内での統一等がなされたゴルフクラブセットは、番手に応じた打球特性を得ることができるので、ゴルフ競技に好適である。また、一種類のシャフト母材でゴルフクラブセットを生産することができるので、生産管理が容易で、生産コストを低減することができる。
【００１３】
このゴルフクラブセットのシャフトは、その繊維角度が周方向において部分的に異なる繊維強化樹脂層の積層体から構成されているので、撓ることにより同時に捻れが生じる。セット内の全てのゴルフクラブにおいて共通のシャフト母材が用いられているので、シャフトの長さに対する捻れ量の比率は全てのゴルフクラブにおいてほぼ同等である。しかし、小さな番手のゴルフクラブには長いシャフトが装着され、大きな番手のゴルフクラブには短いシャフトが装着されるので、番手に応じて捻れの絶対量は異なることとなる。従って、番手に応じてインパクト時のフェースの向きを矯正することができる。具体的には、平均的アマチュアゴルファーがスライスしやすいロングシャフトのゴルフクラブ（例えばロングアイアンやドライバー）では、撓りに起因するフェースの返りの量を多くすることができ、スライスを防止することができる。逆に、ショートシャフトのゴルフクラブ（例えばショートアイアンやクリーク）では、撓りに起因するフェースの返りの量を小さくすることができ、フックを防止することができる。
【００１４】
このゴルフクラブセットは、番手の異なる複数本のゴルフクラブが組み合わされたものである。典型的なゴルフクラブセットとしては、例えばアイアンセットやウッドセットが挙げられる。アイアンセットは、３番アイアンから９番アイアンが組み合わされたものが一般的であるが、これにドライビングアイアン、１０番アイアン、ピッチングウエッジ、アプローチウエッジ、サンドウエッジ等が任意に付加されたものも本発明のゴルフクラブセットに含まれる。また、例えば奇数番手のゴルフクラブのみが組み合わされたいわゆるハーフセットも、本発明のゴルフクラブセットに含まれる。さらには、任意の番手のゴルフクラブが２本以上組み合わされたアイアンセットも、本発明のゴルフクラブセットに含まれる。ウッドセットとしては、ドライバー、ブラッシー、スプーン、バフィー及びクリークから、任意に選択された２本以上が組み合わされたものが挙げられ、これに６番ウッドや７番ウッドが付加されたものもある。また、ウッドクラブとアイアンクラブとを明確に区別することなく、全体的にシャフト長さを変化させたセットも、本発明のゴルフクラブセットに含まれる。
【００１５】
本発明において、シャフトの周方向における積層体構造の基準となる位置の方向が、このシャフトが装着されるヘッドの基準方向に対してなす角度（以下、この角度のことを「装着角度」ともいう）を全てのゴルフクラブにおいて統一すれば、シャフト長さの相違に起因する捻れ量の相違のみが反映されたゴルフクラブセットを得ることができる。「シャフトの周方向における積層体構造の基準となる位置」とは、シャフトの後端（グリップエンド側）を固定してシャフトを片持ち梁状とし、先端側（ヘッドが取り付けられる側）に荷重を欠けてシャフトを撓らせたときの、捻れ角度（シャフト後端側から見て時計回り方向）が最大となる場合の真上に位置する周方向位置のことである。そして、この位置へシャフト中心から向かう方向が、「シャフトの周方向における積層体構造の基準となる位置の方向」である。また、「ヘッドの基準方向」とは、ヘッドをアドレス状態で置いてホーゼル穴外周にフェース位置、フェース反対側位置、トウ側位置及びヒール側位置の４つの位置を９０゜刻みで定めた時の、トウ側位置からヒール側位置に向かう方向のことである。装着角度は、シャフトのグリップエンド側から見て時計回り方向の角度（時計回り側をプラスとする）であり、最大は＋１８０゜とされ、最小は−１８０゜とされる。
【００１６】
上記第１の発明に記載したように、装着角度が全てのゴルフクラブにおいて統一されたゴルフクラブセットは、シャフト長さの相違に起因する捻れ量の相違のみによって程良く打球の曲がりを抑制できるゴルファーにとって最適なものである。また、このゴルフクラブセットでは全てのゴルフクラブにおいて上記角度が統一されているので、ヘッドにシャフトを装着する際の作業が単純化される。
【００１７】
本発明において、装着角度をゴルフクラブの番手に応じて漸次異ならせれば、この装着角度の相違とシャフト長さの相違との両方に起因する捻れ量の相違が反映されたゴルフクラブセットを得ることができ、捻れ量設定の自由度を高めることができる。
【００１８】
上記第２の発明に記載したように、装着角度の相違に起因するフェースの返りの量が大きくなるようにロングシャフトのゴルフクラブの装着角度を設定し、装着角度の相違に起因するフェースの返りの量が小さくなるようにショートシャフトのゴルフクラブの装着角度を設定してゴルフクラブセットを構成すれば、シャフト長さの相違に起因するフェースの返りとともに、装着角度の相違に起因するフェースの返りも加えられ、ロングアイアンとショートアイアンのフェースの返り方の相対的な差が大きくなり、その結果、特に、ロングシャフトのゴルフクラブのフェース向きの矯正効果が高められる。従って、シャフト長さの相違に起因するフェース向きの矯正のみによっては打球の曲がりを抑制できないゴルファー（例えばロングアイアンやドライバーでのスライスが激しいゴルファー）には、このゴルフクラブセットが適している。
【００１９】
上記第３の発明に記載したように、装着角度の相違に起因するフェースの返りの量が小さくなるようにロングシャフトのゴルフクラブの装着角度を設定し、装着角度の相違に起因するフェースの返りの量が大きくなるようにショートシャフトのゴルフクラブの装着角度を設定してゴルフクラブセットを構成すれば、シャフト長さの相違に起因するフェースの返りの量を相殺することができる。従って、シャフト長さの相違に起因するフェース向きの矯正効果が過剰であるゴルファー（例えばロングアイアンやドライバーでがさほどスライスしないが、ショートアイアンでのフック、引っかけが激しいゴルファー）には、このゴルフクラブセットが適している。
【００２０】
【発明の実施の形態】
以下、本発明の実施の形態を図面を参照して詳細に説明する。
図１は、本発明の実施形態にかかるゴルフクラブセットに用いられるゴルフクラブが示された斜視図である。このゴルフクラブは、ヘッド１、シャフト３及びグリップ部５から構成されている。シャフト３は、その前端がヘッド１のホーゼル７に挿入されることにより、ヘッド１に装着されている。グリップ部５は通常ゴム又は皮革からなり、シャフト３の後端近傍の外周面に装着されている。
【００２１】
シャフト３は、繊維強化樹脂製であり、強化繊維として炭素繊維が用いられるのが一般的である。シャフト３は、通常は、マンドレルにプリプレグシートを複数層巻き付けて合成樹脂を硬化させ、マンドレルを抜き取ってシャフト母材を形成し、このシャフト母材を所定寸法にカットして作製される。従って、シャフト３は複数の繊維強化樹脂層の積層体である。繊維強化樹脂層の内の少なくとも１層は、その繊維角度が周方向において部分的に異なっている。従って、このシャフト３では、撓ることにより同時に捻れが生じる。
【００２２】
図２は、図１に示されたシャフト３が撓ることによって同時に捻れを生じる様子を説明するための模式図である。図２（ａ）は斜視図であり、図２（ｂ）はシャフト３を前端側からみた拡大図である。シャフト３は、後端側（グリップエンド側）寄りの１５０ｍｍがチャッキング装置９で把持されている。シャフト３の前端から２０ｍｍの位置に、重量１１００ｇの錘１１がつり下げられている。図２（ａ）及び（ｂ）において二点鎖線で示されているのは、錘１１をつり下げる前の状態のシャフト３である。シャフト３の前端から１５ｍｍの位置には、シャフト３の中心軸と直交する標識棒１３が取り付けられている。標識棒１３は、錘１１をつり下げる前の段階で水平となるようにされている。錘１１をつり下げることにより、シャフト３は下方に撓る。これと同時に、シャフト３は回転角度θで示されるように捻れる。この回転角度θは、シャフト３の後端側から見て時計回り方向の角度であるが、図２（ｂ）は前端側から見た図であるため反時計回り方向の矢印で示されている。回転角度θはシャフト３の周方向位置に応じて変化するが、回転角度θの最大値が「曲げ捻れ量」とされる。また、回転角度θが最大値をとる場合の上側となるシャフト３の周方向位置が、前述の「シャフトの周方向における積層体構造の基準となる位置」である。
【００２３】
図３は、図１のゴルフクラブのヘッド１のみがアドレス状態で置かれた様子が示された模式的な平面図である。このヘッド１では、ホーゼル穴１５外周にフェース位置（図３においてＡで示される）、フェース反対側位置（図３においてＢで示される）、トウ側位置（図３においてＹで示される）及びヒール側位置（図３においてＸで示される）の４つの位置が、９０゜刻みで定められる。そして、トウ側位置Ｙからヒール側位置Ｘへ向かう方向が、前述の「ヘッドの基準方向」である。
【００２４】
本発明のゴルフクラブセットでは、シャフト３の周方向における積層体構造の基準となる位置の方向が、ヘッド１の基準方向に対してなす時計回り方向の角度、すなわち装着角度を、全てのゴルフクラブにおいて統一してもよい。また、本発明のゴルフクラブセットでは、装着角度をゴルフクラブの番手に応じて漸次変化させてもよい。
【００２５】
【実施例】
以下、実験例に基づいて本発明の効果を明らかにする。
【００２６】
［実施例１］
マンドレルに、図４に示すように、繊維角度が＋２５゜のプリプレグシートを１．５周、繊維角度が−２５゜のプリプレグシートを１．５周をそれぞれ巻始め位置を１８０゜ズラして巻き、さらに、繊維角度が０゜のプリプレグシートを３周巻き付けて硬化させ、マンドレルを引き抜いて長さが３９インチのシャフト母材を得た。
上記シャフト母材は、繊維角度が周方向において部分的に異なる繊維強化樹脂層を備えており、従って、撓ることにより同時に捻れが生じるものである。このシャフト母材の重量は６２ｇ、フレックスは順式が７８で逆式が５１、トルクは４．８、曲げ捻れ量は１．３゜であった。
【００２７】
このシャフト母材を所定寸法にカットしてアイアンヘッドに装着し、さらに後端部にゴム製のグリップ部を取り付けて、３番アイアンから９番アイアン、ピッチングウエッジ（ＰＷ）及びアプローチウエッジ（ＡＷ）からなる、実施例１のアイアン９本ゴルフクラブセットを作製した。装着角度は、全ての番手に置いて＋３０゜とした。このゴルフクラブセットの各番手のシャフト長さ、クラブ長さ及びロフト角度が、下記の表１に示されている。
【００２８】
【表１】
0003643492.tif 000002
【００２９】
［実施例２］
３番アイアン及び４番アイアンの装着角度を０゜とし、５番アイアン及び６番アイアンの装着角度を＋３０゜とし、７番アイアンの装着角度を＋６０゜とし、８番アイアン及び９番アイアンの装着角度を＋９０゜とし、ピッチングウエッジ及びアプローチウエッジの装着角度を＋１２０゜とした他は実施例１と同様にして、実施例２のゴルフクラブセットを得た。
【００３０】
［実施例３］
３番アイアンの装着角度を０゜とし、４番アイアンの装着角度を＋２０゜とし、５番アイアンの装着角度を＋４０゜とし、６番アイアンの装着角度を＋６０゜とし、７番アイアンの装着角度を＋８０゜とし、８番アイアンの装着角度を＋１００゜とし、９番アイアンの装着角度を＋１２０゜とし、ピッチングウエッジの装着角度を＋１４０゜とし、アプローチウエッジの装着角度を＋１６０゜とした他は実施例１と同様にして、実施例３のゴルフクラブセットを得た。
【００３１】
［実施例４］
３番アイアン、４番アイアン及び５番アイアンの装着角度を−３０゜とし、６番アイアン、７番アイアン及び８番アイアンの装着角度を−９０゜とし、９番アイアン、ピッチングウエッジ及びアプローチウエッジの装着角度を−１８０゜とした他は実施例１と同様にして、実施例４のゴルフクラブセットを得た。
【００３２】
［比較例］
マンドレルに、図５に示すように、繊維角度が＋４５゜のプリプレグシートを２周、繊維角度が−４５゜のプリプレグシートを２周、及び繊維角度が０゜のプリプレグシートを４周巻き付けて硬化させ、マンドレルを引き抜いて長さが３９インチのシャフト母材を得た。のシャフト母材の重量は６２ｇ、フレックスは順式が７８で逆式が５１、トルクは４．８であった。
【００３３】
このシャフト母材を実施例１と同様に所定寸法にカットしてアイアンヘッドに装着し、比較例のゴルフクラブセットを得た。このシャフトは、繊維角度が周方向において部分的に異なる繊維強化樹脂層を備えておらず、撓ることにより同時に捻れが生じるものではない。従って、このシャフトには「周方向における積層体構造の基準となる位置の方向」という概念が存在せず、また、「装着角度」という概念も存在しない。
【００３４】
［各実施例及び比較例のゴルフクラブセットの評価］
各実施例及び比較例のゴルフクラブセットを用い、平均的アマチュアゴルファー５名（いずれも右利き）による試打評価を行った。各ゴルファーに、各番手のゴルフクラブを用いて１０球ずつゴルフボールを打ってもらい、落下地点の目標方向からのズレ（打球ズレ、単位はヤード）を計測した。落下地点が目標方向に対して右にずれた場合をプラス、左にずれた場合をマイナスとした。各ゴルフクラブ毎に５０球のデータを得、この平均値を算出した。この結果が、下記の表２に示されている。
【００３５】
【表２】
0003643492.tif 000003
【００３６】
表２において、打球ズレ幅とは、各ゴルフクラブセット内での打球ズレの最大値と最小値との差であり、ゴルフクラブセット内での打球方向のばらつきの指標となるものである。この値が小さいほど、ゴルフクラブセットとしての方向性が安定していることとなる。
【００３７】
実施例１のゴルフクラブセットでは、撓ることにより同時に捻れが生じるシャフトが用いられており、全てのゴルフクラブにおいて装着角度が＋３０゜に統一されている。
従って、全てのゴルフクラブにおいて、インパクト時のトウダウンにより、フェースが返る方向にシャフトが捻れる。ロングシャフトのゴルフクラブほどシャフトの捻れ量が多くなるので、ロングアイアンでのスライスが抑えられる。逆に、ショートアイアンでのフックも抑えられる。この結果、表２に示されるように、ゴルフクラブセット全体としての打球ズレ幅は比較例のゴルフクラブセットに対して小さくなった。
【００３８】
実施例２、３及び４のゴルフクラブセットでは、ロングシャフトのゴルフクラブからショートシャフトのゴルフクラブに向かって装着角度が漸次変化している。そして、この装着角度は、ロングシャフトのゴルフクラブほど０゜に近く、ショートシャフトのゴルフクラブほど＋１８０゜（すなわち−１８０゜でもある）に近くされている。このため、ロングシャフトのゴルフクラブほど装着角度の相違に起因するシャフトの捻れ量が多くなり、シャフトの長さの相違に起因する捻れ量との相乗効果で、インパクト時のフェースの返りが多くなる。従って、ロングアイアンでのスライスが抑えられる。逆に、ショートアイアンでのフックも抑えられる。この結果、表２に示されるように、ゴルフクラブセット全体としての打球ズレ幅は実施例１のゴルフクラブセットに対してさらに小さくなった。
【００３９】
【発明の効果】
以上の説明より明らかなように、本発明のゴルフクラブセットは特性値のセット内での統一や漸次的変化の達成が容易であるにもかかわらず、セット内の打球ズレ幅を抑えることができる。また、装着角度を工夫することにより、ゴルファーの技量、スイングフォームの癖等に応じて、撓った際の捻れの量を自由に調整することができるので、それぞれのゴルファーに最適なゴルフクラブセットを容易に作製することができる。
【図面の簡単な説明】
【図１】  本発明の実施形態にかかるゴルフクラブセットに用いられるゴルフクラブが示された斜視図である。
【図２】  図１に示されたシャフトが撓ることによって同時に捻れを生じる様子を説明するための模式図であり、図２（ａ）は斜視図、図２（ｂ）はシャフトを前端側からみた拡大図である。
【図３】  図１のゴルフクラブのヘッドのみがアドレス状態で置かれた様子が示された模式的な平面図である。
【図４】  実施例１のプリプレグシート積層構成を示す説明図である。
【図５】  比較例１のプリプレグシート積層構成を示す説明図である。
【符号の説明】
１    ヘッド
３    シャフト
５    グリップ部
７    ホーゼル
９    チャッキング装置
１１  錘
１３  標識棒
１５  ホーゼル穴
【図１】
0003643492.tif 000004
【図２】
0003643492.tif 000005
【図３】
0003643492.tif 000006
【図４】
0003643492.tif 000007
【図５】
0003643492.tif 000008